(57)【要約】      （修正有）【課題】太陽電池モジュールの荷崩れの発生を防止する。【解決手段】太陽電池モジュール積載具は、矩形状のパレット２と、パレット２の４つの各隅部に配置され太陽電池モジュールの４つの各角部をそれぞれ支持する支持部材１と、を備える。パレット２は、当該パレット２の４つの各隅部に、それぞれ、四角錐台状の凹部２１が形成されている。支持部材１は、パレット２の上面に当接して支持され、太陽電池モジュールの角部の下面を支持する板状の基体部１１と、基体部１１の外周側端部において上方に向けて立設され、太陽電池モジュールの角部の水平方向の移動を規制する板状の規制部１２と、基体部１１の略中央位置において下方に向けて立設され、パレット２に形成された凹部２１に嵌合して係止される四角錐台状の嵌合凸部１３と、を備え、上下対称に構成されている。【選択図】図２
2013063788.tif 000002
【特許請求の範囲】
【請求項１】
太陽電池モジュールを水平に積み重ねて積載する太陽電池モジュール積載具であって、
矩形状のパレットと、
前記パレットの４箇所に配置され、前記太陽電池モジュールをそれぞれ支持する支持部材と、を備え、
前記パレットは、当該パレットの４箇所に、それぞれ、凹部が形成されており、
前記支持部材は、
前記パレットの上面に当接して支持され、前記太陽電池モジュールの下面を支持する基体部と、
前記基体部の外周側端部において上方に向けて立設され、前記太陽電池モジュールの水平方向の移動を規制する規制部と、
前記基体部の略中央位置において下方に向けて立設され、前記パレットに形成された凹部に嵌合して係止される凸部と、を備え、
上下対称に構成されていることを特徴とする太陽電池モジュール積載具。
【請求項２】
請求項１に記載の太陽電池モジュール積載具であって、
前記支持部材は、更に、
前記規制部に前記基体部の上面と略平行に立設され、前記太陽電池モジュールの下面を支持する１つ又は複数の支持部を備え、
前記規制部は、前記支持部に支持された前記太陽電池モジュールの水平方向の移動を規制するべく、上方に向けて延設されている、ことを特徴とする太陽電池モジュール積載具。
【請求項３】
請求項１又は請求項２に記載の太陽電池モジュール積載具であって、
前記パレットの凹部は、当該パレットの４つの各隅部に形成されており、前記支持部材の凸部が係合することで、前記太陽電池モジュールの角部を支持することを特徴とする太陽電池モジュール積載具。
【請求項４】
請求項１から請求項３のいずれか１つに記載の太陽電池モジュール積載具であって、
前記基体部は、皿ネジ及び皿ビスの少なくとも一方によって前記パレットに固定可能な孔が形成されていることを特徴とする太陽電池モジュール積載具。
【請求項５】
請求項１から請求項４のいずれか１つに記載の太陽電池モジュール積載具であって、
前記パレットの前記凹部、及び、前記支持部材の下側の前記凸部は、下方に向かう程、先窄まりの略円錐台状、又は、略四角錐台状に形成されていることを特徴とする太陽電池モジュール積載具。
【請求項６】
請求項１から請求項５のいずれか１つに記載の太陽電池モジュール積載具であって、
前記支持部材は、前記太陽電池モジュールの角部を支持する前記基体部の角部と前記嵌合凸部の上下方向の中心軸を含む平面に対して面対称に構成されていることを特徴とする太陽電池モジュール積載具。
【請求項７】
請求項１から請求項６のいずれか１つに記載の太陽電池モジュール積載具であって、
前記パレットは、４本の木製の四角柱状部材が組み合わされた枠構造であることを特徴とする太陽電池モジュール積載具。
【請求項８】
請求項１から請求項７のいずれか１つに記載の太陽電池モジュール積載具であって、
前記支持部材は、樹脂製であって一体成形されることを特徴とする太陽電池モジュール積載具。
【請求項９】
請求項１から請求項８のいずれか１つに記載の太陽電池モジュール積載具であって、
前記パレットの凹部は、当該パレットを上下方向に貫通して形成されていることを特徴とする太陽電池モジュール積載具。
【請求項１０】
請求項１から請求項９のいずれか１つに記載の太陽電池モジュール積載具を備え、前記であって、前記太陽電池モジュールが梱包されていることを特徴とする太陽電池モジュール梱包体。
【発明の詳細な説明】
【技術分野】
【０００１】
本発明は、搬送等の際に、太陽電池モジュールを水平に積み重ねる積載具に関する。特に、フレームレス構造の太陽電池モジュールを多段に積載する積載具及び太陽電池モジュール梱包体に関する。
【背景技術】
【０００２】
従来、光起電力モジュール（以下、太陽電池モジュールともいう）を輸送する際に、太陽電池モジュールを水平に積み重ねる差込みシステムが知られている（特許文献１参照）。この差込みシステムでは、図５に示す成形品部材５を用いて、太陽電池モジュールを水平に積み重ねて梱包する。
【０００３】
簡単に説明すると、図５に示す成形品部材５は、円筒状に形成された支柱部５７と、この支柱部５７の周側壁から水平に延設された太陽電池モジュールの角部を横から嵌め込んで挟持するための横方向に開口した挟持部５５とを備えている。また、支柱部５７の上端面及び下端面には、それぞれ、上下に隣接配置される別の成形品部材５と順次嵌合するための、嵌合凹部５８及び嵌合突部５６が設けられている。
【０００４】
この成形品部材５を用いて太陽電池モジュールを水平に積み重ねる場合、まず、太陽電池モジュールの各角部に、それぞれ成形品部材５の挟持部５５を嵌め込み、この状態で１段目の太陽電池モジュールをパレット上に載置する。次に、同様にして、２段目の太陽電池モジュールの各角部に、それぞれ成形品部材５の挟持部５５を嵌め込む。
【０００５】
そして、パレット上に載置した１段目の太陽電池モジュールの角部に嵌め込んだ成形品部材５と、２段目の太陽電池モジュールの角部に嵌め込んだ成形品部材５とを上下に対向配置させ、下側の成形品部材５の嵌合突部５６に上側の成形品部材５の嵌合凹部５８を嵌合して、２段目の太陽電池モジュールを積み重ねる。このような手順を所定段数繰り返して、太陽電池モジュールを水平に積み重ねる。
【０００６】
このように、特許文献１では、図５に示す成形品部材５は、枠部材を有しないフレームレス構造の太陽電池モジュールを積載する際に好適に用いられる。
【先行技術文献】
【特許文献】
【０００７】
【特許文献１】特開２００６−３２９７８号公報
【発明の概要】
【発明が解決しようとする課題】
【０００８】
しかしながら、特許文献１に係る成形品部材５では、１段目の太陽電池モジュールを支持する成形品部材５が、パレットの４つの隅部上に載置されるため、輸送中の振動等によって、この成形品部材５が前後又は左右方向に位置ズレし、パレット上面から脱落して荷崩れが生じる虞がある。
【０００９】
本発明は、上記課題に鑑みてなされたものであって、太陽電池モジュールの荷崩れの発生を防止することの可能な太陽電池モジュール積載具を提供することを目的としている。
【課題を解決するための手段】
【００１０】
上記課題を解決するために、本発明に係る太陽電池モジュール積載具及び太陽電池モジュール梱包体は、以下のように構成されている。
【００１１】
すなわち、本発明に係る太陽電池モジュール積載具は、太陽電池モジュールを水平に積み重ねて積載する太陽電池モジュール積載具であって、矩形状のパレットと、前記パレットの４箇所に配置され、前記太陽電池モジュールをそれぞれ支持する支持部材と、を備え、前記パレットが、当該パレットの４箇所に、それぞれ、凹部が形成されており、前記支持部材が、前記パレットの上面に当接して支持され、前記太陽電池モジュールの下面を支持する基体部と、前記基体部の外周側端部において上方に向けて立設され、前記太陽電池モジュールの水平方向の移動を規制する規制部と、前記基体部の略中央位置において下方に向けて立設され、前記パレットに形成された凹部に嵌合して係止される凸部と、を備え、上下対称に構成されていることを特徴としている。
【００１２】
かかる構成を備える太陽電池モジュール積載具によれば、パレットの上面に当接して支持された基体部によって、太陽電池モジュールの下面が支持される。また、前記基体部の外周側端部において上方に向けて立設された規制部によって、前記太陽電池モジュールの水平方向の移動が規制される。更に、前記基体部の略中央位置において下方に向けて立設された凸部が、前記パレットに形成された凹部に嵌合して係止されるため、前記基体部の水平方向の移動が規制される。したがって、太陽電池モジュールの荷崩れの発生を防止することができる。
【００１３】
すなわち、支持部材の基体部によって、太陽電池モジュールの下面が支持され、支持部材の規制部によって、太陽電池モジュールの水平方向の移動が規制される。このようにして太陽電池モジュールを支持すると共に水平方向の移動を規制する支持部材の凸部が、パレットの凹部に嵌合して係止されるため、太陽電池モジュールの荷崩れの発生を防止することができるのである。
【００１４】
加えて、前記支持部材が上下対称に構成されているため、前記支持部材の上下の向きを気にすることなく、前記支持部材の凸部を前記パレットに形成された凹部に嵌合することができるため、組み立てが容易となる。また、前記支持部材が上下対称に構成されているため、前記支持部材の下端の嵌合凸部を前記パレットに形成された凹部に嵌合すると、上端に凸部が突出することになる。したがって、上端の凸部を前記太陽電池モジュールを保護する部材である保護部材に予め形成された孔に差し込むことによって、前記保護部材を簡便に装着することができる。
【００１５】
また、本発明に係る太陽電池モジュール積載具は、前記支持部材が、更に、前記規制部に前記基体部の上面と略平行に立設され、前記太陽電池モジュールの下面を支持する１つ又は複数の支持部を備え、前記規制部が、前記支持部に支持された前記太陽電池モジュールの角部の水平方向の移動を規制するべく、上方に向けて延設されている、ことが好ましい。
【００１６】
かかる構成を備える太陽電池モジュール積載具によれば、前記規制部に前記基体部の上面と略平行に立設された１つ又は複数の支持部によって、前記太陽電池モジュールの角部の下面が支持される。そして、前記規制部は上方に向けて延設されているため、前記支持部に支持された前記太陽電池モジュールの水平方向の移動が規制される。よって、基体部によって支持された太陽電池モジュール及び支持部によって支持された太陽電池モジュール（複数の太陽電池モジュール）の荷崩れの発生を防止することができる。
【００１７】
また、本発明に係る太陽電池モジュール積載具は、前記パレットの凹部が、当該パレットの４つの各隅部に形成されており、前記支持部材の凸部が係合することで、前記太陽電池モジュールの角部を支持することが好ましい。
【００１８】
かかる構成を備える太陽電池モジュール積載具によれば、前記パレットの凹部が、当該パレットの４つの各隅部に形成されており、前記支持部材の凸部が係合することで、前記太陽電池モジュールの角部が支持されるため、太陽電池モジュールの水平方向の移動が確実に規制される。
【００１９】
すなわち、前記基体部が、前記太陽電池モジュールの４つの角部の下面を支持し、前記基体部に立設された前記規制部によって、前記太陽電池モジュールの４つの角部の水平方向の移動が規制されるため、太陽電池モジュールの水平方向の移動が確実に規制されるのである。
【００２０】
また、本発明に係る太陽電池モジュール積載具は、前記基体部が、皿ネジ及び皿ビスの少なくとも一方によって前記パレットに固定可能な孔が形成されていることが好ましい。
【００２１】
かかる構成を備える太陽電池モジュール積載具によれば、前記基体部が、皿ネジ及び皿ビスの少なくとも一方によって前記パレットに固定され得るため、前記支持部材の水平方向の移動を更に確実に規制することが可能となる。
【００２２】
また、本発明に係る太陽電池モジュール積載具は、前記パレットの前記凹部、及び、前記支持部材の下側の前記凸部が、下方に向かう程、先窄まりの略円錐台状、又は、略四角錐台状に形成されていることが好ましい。
【００２３】
かかる構成を備える太陽電池モジュール積載具によれば、前記パレットの前記凹部、及び、前記支持部材の下側の前記凸部が、下方に向かう程、先窄まりの略円錐台状、又は、略四角錐台状に形成されているため、前記凸部を、前記パレットに形成された凹部に容易に嵌合させることができる。
【００２４】
また、本発明に係る太陽電池モジュール積載具は、前記支持部材が、前記太陽電池モジュールの角部を支持する前記基体部の角部と、前記凸部の上下方向の中心軸を含む平面に対して面対称に構成されていることが好ましい。
【００２５】
かかる構成を備える太陽電池モジュール積載具によれば、前記太陽電池モジュールの４つの各角部をそれぞれ支持する支持部材を、同一の構成で実現することができるため、製造コストを低減することができると共に、利便性を向上することができる。
【００２６】
また、本発明に係る太陽電池モジュール積載具は、前記パレットは、４本の木製の四角柱状部材が組み合わされた枠構造であることが好ましい。
【００２７】
かかる構成を備える太陽電池モジュール積載具によれば、前記パレットが、４本の木製の四角柱状部材が組み合わされた枠構造であるため、前記パレットを簡素な構成で実現することができると共に、必要とされる強度を有するパレットを比較的安価に生産することができる。
【００２８】
また、本発明に係る太陽電池モジュール積載具は、前記支持部材が、樹脂製であって一体成形されることが好ましい。
【００２９】
かかる構成を備える太陽電池モジュール積載具によれば、前記支持部材が、樹脂製であって一体成形されるため、必要とされる強度を有すると共に、摺動、当接等によって太陽電池モジュールを損傷する虞の少ない支持部材を比較的安価に生産することができる。
【００３０】
また、本発明に係る太陽電池モジュール積載具は、前記パレットの凹部が、当該パレットを上下方向に貫通して形成されていることが好ましい。
【００３１】
かかる構成を備える太陽電池モジュール積載具によれば、前記パレットの凹部が、当該パレットを上下方向に貫通して形成されているため、前記パレットの凹部を容易に形成することができる。
【００３２】
また、本発明に係る太陽電池モジュール梱包体は、上記いずれかの太陽電池モジュール積載具を備え、前記太陽電池モジュールが梱包されていることが好ましい。
【００３３】
かかる構成を備える太陽電池モジュール梱包体によれば、太陽電池モジュールの荷崩れの発生を防止することができる。
【発明の効果】
【００３４】
本発明に係る太陽電池モジュール積載具によれば、パレットの上面に当接して支持された基体部によって、太陽電池モジュールの下面が支持される。また、前記基体部の外周側端部において上方に向けて立設された規制部によって、前記太陽電池モジュールの水平方向の移動が規制される。更に、前記基体部の略中央位置において下方に向けて立設された凸部が、前記パレットに形成された凹部に嵌合して係止されるため、前記基体部の水平方向の移動が規制される。したがって、太陽電池モジュールの荷崩れの発生を防止することができる。
【００３５】
また、前記支持部材が上下対称に構成されているため、前記支持部材の上下の向きを気にすることなく、前記支持部材の凸部を前記パレットに形成された凹部に嵌合することができるため、組み立てが容易となる。更に、前記支持部材が上下対称に構成されているため、前記支持部材の下端の凸部を前記パレットに形成された凹部に嵌合すると、上端に凸部が突出することになる。したがって、上端の凸部に前記太陽電池モジュールを保護する部材である保護部材に予め形成された孔に差し込むことによって、前記保護部材を簡便に装着することができる。
【図面の簡単な説明】
【００３６】
【図１】太陽電池モジュール積載具の一例を示す全体斜視図である。
【図２】図１に示す支持部材及びパレットの部分斜視図である。
【図３】図１に示す支持部材の底面図及び側面図である。
【図４】図１に示すパレットの平面図及び側面図である。
【図５】太陽電池モジュールの従来の多段積載方法に用いられる保持部材の構成を示す斜視図である。
【発明を実施するための形態】
【００３７】
以下、本発明の実施の形態について、図面を参照して説明する。
【００３８】
本発明に係る太陽電池モジュール積載具１００は、アルミニウム製の枠部材を有しないフレームレス構造の太陽電池モジュール３を多段に水平に積み重ねる多段積載に好適に用いられる。したがって、以下の実施形態では、フレームレス構造の太陽電池モジュール３を多段に積載する場合について説明する。なお、本発明に係る太陽電池モジュール梱包体は、太陽電池モジュール３が太陽電池モジュール積載具１００によって多段に水平に積み重ねられたものである。
【００３９】
−太陽電池モジュール積載具１００の構成−
図１は、太陽電池モジュール積載具１００の一例を示す全体斜視図である。図１の矢印Ｚは、上下方向を示すものである。図１に示すように、太陽電池モジュール積載具１００は、支持部材１及びパレット２を備えている。支持部材１は、下面がパレット２に係合されると共に、太陽電池モジュール３の４つの各角部をそれぞれ支持するものである。また、図２を用いて後述するように、パレット２の４つの隅部に支持部材１が固定され、支持部材１に形成された基体部１１又は支持部１５で四隅が支持されて太陽電池モジュール３が多段に水平に積み重ねられる。
【００４０】
また、図１に示すように、太陽電池モジュール積載具１００を用いて太陽電池モジュール３の多段積載を行った場合に、支持部材１に形成された嵌合凸部１３が、上端に突出しているため、この嵌合凸部１３を、ダンボール等の太陽電池モジュール３を保護する部材である保護部材４に予め形成された孔４１に差し込むことによって、保護部材４を簡便に装着することができる。
【００４１】
なお、本実施形態では、保護部材４がダンボール等である場合について説明するが、保護部材４が樹脂等からなる場合には、保護部材４を上端に突出した嵌合凸部１３に装着することによって、支持部材１を更に確実に固定することができる。すなわち、支持部材１の下端部がパレット２に固定されると共に、支持部材１の上端部が保護部材４に固定されるため、支持部材１が太陽電池モジュール３から離間する向きに開くことを確実に防止することができるのである。
【００４２】
次に、図２〜図４を参照して、支持部材１及びパレット２の構造について詳細について説明する。図２は、図１に示す支持部材１及びパレット２の部分斜視図である。図３は、図１に示す支持部材１の底面図及び側面図である。図３（ａ）が、支持部材１の底面図であって、図３（ｂ）が、支持部材１の側面図である。図４は、図１に示すパレット２の平面図及び側面図である。図４（ａ）が、パレット２の平面図であって、図４（ｂ）が、パレット２の側面図である。
【００４３】
−パレット２の構造−
まず、図２及び図４を参照して、パレット２の構造について説明する。図４に示すようにパレット２は、木製であって、４本の四角柱状部材が組み合わされた枠構造である。また、パレット２の４つの各隅部には、それぞれ、凹部２１が形成されている。凹部２１は、支持部材１の嵌合凸部１３（図２参照）が嵌合して係止されるものであって、図４に示すように、例えば、下方に向かう程、先窄まりの四角錐台状に形成されていても良い。また、凹部２１は、パレット２を上下方向に貫通して形成されている。
【００４４】
このように、パレット２が、４本の四角柱状部材が組み合わされた枠構造であるため、パレット２を簡素な構成で実現することができる。また、パレット２は、木製であるため、必要とされる強度を有するパレット２を比較的安価に生産することができる。更に、パレット２の凹部２１が、パレット２を上下方向に貫通して形成されているため、パレット２の凹部２１を容易に形成することができる。
【００４５】
−支持部材１の構造−
次に、図２及び図３を参照して、支持部材１の構造について説明する。支持部材１は、基体部１１、規制部１２、嵌合凸部１３、支持部１５、及び、皿ネジ１６を備え、樹脂製であって、一体成形されている。また、支持部材１は、上下対称に構成されている。
【００４６】
このようにして、支持部材１が、樹脂製であって一体成形されるため、必要とされる強度を有すると共に、摺動、当接等によって太陽電池モジュール３を損傷する虞の少ない支持部材１を比較的安価に生産することができる。
【００４７】
本実施形態では、支持部材１が樹脂製である場合について説明するが、支持部材１がその他の材料（例えば、ゴム等）からなる形態でもよい。
【００４８】
また、支持部材１が、上下対称に構成されているため、支持部材１の上下の向きを気にすることなく、支持部材の嵌合凸部１３をパレット２に形成された凹部２１に嵌合することができるため、組み立てが容易となる。
【００４９】
基体部１１は、パレット２の上面に当接して支持され、最も下側（パレット２に近接する側）に載置される太陽電池モジュール３の角部の下面を支持する板状の部材である。また、基体部１１は、皿ネジ１６を挿通する２つのネジ孔１１１が形成されている。
【００５０】
ネジ孔１１１は、基体部１１と規制部１２との接続位置（図３（ａ）における右端位置及び下端位置）と、基体部１１の図３（ａ）における左上端位置及び左端位置との間に形成されている。皿ネジ１６は、ネジ孔１１１を貫通してパレット２に螺合して、基体部１１をパレット２に固定するものである。
【００５１】
規制部１２は、基体部１１の外周側端部において上方に向けて立設され、太陽電池モジュール３の角部の水平方向の移動を規制する板状の部材である。図２に示すように、規制部１２は、互いに直交する第一規制部１２１及び第二規制部１２２を備えている。第一規制部１２１及び第二規制部１２２は、平面視Ｌ字状に一体成形されている。また、第一規制部１２１及び第二規制部１２２は、支持部１５のうち、最上端の支持部１５の上面より更に所定長さ（例えば、５０ｍｍ）以上突出するように延設されている。なお、上述のように、支持部材１は上下対称に構成されているため、規制部１２の上端には、基体部１１及び嵌合凸部１３が形成されている。
【００５２】
このように、第一規制部１２１及び第二規制部１２２が平面視Ｌ字状に一体成形されているため、簡素な構成で規制部１２の強度を確保することができる。また、第一規制部１２１及び第二規制部１２２が、支持部１５のうち、最上端の支持部１５の上面より更に所定長さ（例えば、５０ｍｍ）以上突出するように延設されているため、最上端の支持部１５の上面に載置された太陽電池モジュール３が振動する場合であっても、規制部１２によってこの太陽電池モジュール３の角部の水平方向の移動を確実に規制することができる。
【００５３】
嵌合凸部１３は、基体部１１の略中央位置において下方に向けて立設され、パレット２に形成された凹部２１に嵌合して係止される四角錐台状の部材である。ここで、嵌合凸部１３は、特許請求の範囲に記載の「凸部」に相当する。基体部１１の略中央位置において下方に向けて立設された嵌合凸部１３が、パレット２に形成された凹部２１に嵌合して係止されるため、基体部１１の水平方向の移動が規制される。また、嵌合凸部１３及び凹部２１は、下方に向かう程、先窄まりの四角錐台状に形成されている。
【００５４】
このようにして、支持部材１の基体部１１によって、最も下側に載置される太陽電池モジュール３の角部の下面が支持され、支持部材１の規制部１２によって、太陽電池モジュール３の水平方向の移動が規制される。このようにして太陽電池モジュール３を支持すると共に水平方向の移動を規制する支持部材１の嵌合凸部１３が、パレット２の凹部２１に嵌合して係止されるため、最も下側に載置される太陽電池モジュール３の荷崩れの発生を防止することができる。
【００５５】
また、嵌合凸部１３及び凹部２１が下方に向かう程、先窄まりの四角錐台状に形成されているため、嵌合凸部１３を容易に凹部２１に挿入して嵌合させることができると共に、支持部材１の基体部１１は、嵌合凸部１３を中心として回転することを効果的に規制することができる。
【００５６】
本実施形態では、嵌合凸部１３及び凹部２１が下方に向かう程、先窄まりの四角錐台状に形成されている場合について説明したが、嵌合凸部１３及び凹部２１が下方に向かう程、先窄まりの円錐台状（又は円錐状）に形成されている形態でもよい。この場合には、嵌合凸部１３を更に容易に凹部２１に挿入して嵌合させることができる。
【００５７】
支持部１５は、規制部１２に基体部１１の上面と平行に立設され、最も下側に載置される太陽電池モジュール３を除く太陽電池モジュール３の角部の下面を支持する１つ又は複数の（図２では、１０個の）板状の部材である。この支持部１５の枚数がＮ枚であるとすると、最大（Ｎ＋１）枚の太陽電池モジュールを載置することができる。
【００５８】
すなわち、規制部１２に基体部１１の上面と平行に立設された１つ又は複数の板状の支持部１５によって、太陽電池モジュール３の角部の下面が支持される。そして、規制部１２は上方に向けて延設されているため、支持部１５に支持された太陽電池モジュール３の角部の水平方向の移動が規制される。よって、基体部１１によって支持された太陽電池モジュール３及び支持部１５によって支持された太陽電池モジュール３の荷崩れの発生を防止することができる。
【００５９】
本実施形態では、支持部１５が、１０個形成されている場合について説明するが、支持部１５が１個以上形成されている形態であればよい。また、本実施形態では、支持部１５が、矩形の板状部材である場合について説明するが、支持部１５の形状は矩形以外の形状であってもよい。例えば、部分円弧状であってもよい。
【００６０】
皿ネジ１６は、ネジ孔１１１を貫通してパレット２に螺合して、基体部１１をパレット２に固定するものである。このようにして、皿ネジ１６によって、基体部１１がパレット２に固定されるため、支持部材１の水平方向の移動を更に確実に規制することができる。
【００６１】
本実施形態では、皿ネジ１６が基体部１１をパレット２に固定する場合について説明するが、皿ネジ１６又は皿ビスの少なくとも一方によって、基体部１１をパレット２に固定する形態であればよい。
【００６２】
また、図３に示すように支持部材１は、太陽電池モジュール３の角部を支持する基体部１１の角部（図３（ａ）の右下端）と、嵌合凸部１３の上下方向の中心軸を含む平面（図３（ａ）の一点鎖線で示す平面）に対して面対称に構成されている。
【００６３】
このように、支持部材１が、面対称に構成されているため、太陽電池モジュール３の４つの各角部をそれぞれ支持する支持部材１を、同一の構成で実現することができるので、支持部材１の製造コストを低減することができると共に、利便性を向上することができる。
【００６４】
−太陽電池モジュール積載具１００を用いた積載手順−
図１〜図４を参照して上述した太陽電池モジュール積載具１００を用いて、太陽電池モジュール３をパレット２上に多段に水平に積み重ねる手順について説明する。まず、パレット２の隣接する２辺において、それぞれ支持部材１の嵌合凸部１３をパレット２の凹部２１に挿入する。次に、皿ネジ１６をネジ孔１１１に挿通し、パレット２にねじ込む。このようにして、パレット２上に支持部材１を固定する。
【００６５】
次に、複数枚（例えば、１０枚）の太陽電池モジュール３の隣接する２辺を、それぞれ、パレット２上に固定された２つの支持部材１の基体部１１及び支持部１５の上面に載置する。このとき、太陽電池モジュール３の他の２辺は、装置のフォーク等によって支持されている。
【００６６】
そして、太陽電池モジュール３の残る２辺を、それぞれ、２つの支持部材１の基体部１１及び支持部１５の上面に載置して、この２つの支持部材１の嵌合凸部１３をパレット２の凹部２１に挿入する。
【００６７】
このようにして、複数枚（例えば、１０枚）の太陽電池モジュール３をパレット２上に水平に積み重ねて積載することができる。なお、上記載置手順では、２つの支持部材１は、パレット２に皿ネジ１６で固定されていないが、必ずしも全ての支持部材１がパレット２に皿ネジ１６で固定されている必要はない。
【００６８】
−変形例−
本実施形態では、皿ネジ１６によって支持部材１の基体部１１をパレット２に固定する場合について説明するが、その他の方法で（例えば、接着剤等で）支持部材１の基体部１１をパレット２に固定する形態でもよい。
【００６９】
本実施形態では、フレームレス構造の太陽電池モジュールを積載する場合について説明したが、フレームを有する太陽電池モジュールを積載する形態でもよい。
【００７０】
本実施形態では、嵌合凸部１３及び凹部２１が下方に向かう程、先窄まりの四角錐台状に形成されている場合について説明したが、嵌合凸部１３及び凹部２１が先窄まりに形成されていなくてもよい。例えば、嵌合凸部１３及び凹部２１が、四角柱状又は円柱状に形成されている形態でもよい。この場合には凹部２１の加工費を低減することができる。
【００７１】
本実施形態では、パレット２の凹部２１が、パレット２の４つの各隅部に形成されており、支持部材１の嵌合凸部１３が係合することで、太陽電池モジュール３の角部を支持する場合について説明したが、パレット２の凹部２１が、パレット２の４箇所に形成されている形態であればよい。例えば、パレット２の凹部が、パレット２を構成する４本の四角柱状部材の長手方向の略中央位置に形成されている形態でもよい。
【産業上の利用可能性】
【００７２】
本発明は、搬送等の際に、太陽電池モジュールを水平に積み重ねる積載具及び太陽電池モジュール梱包体に利用することができる。特に、フレームレス構造の太陽電池モジュールを多段に積載する積載具及び太陽電池モジュール梱包体に好適に利用することができる。
【符号の説明】
【００７３】
１００  太陽電池モジュール積載具
１  支持部材
１１  基体部
１１１  ネジ孔
１２  規制部
１２１  第一規制部
１２２  第二規制部
１３  嵌合凸部（凸部）
１５  支持部
１６  皿ネジ
２  パレット
２１  凹部
３  太陽電池モジュール
４  保護部材
４１  孔
【図１】
2013063788.tif 000003
【図２】
2013063788.tif 000004
【図３】
2013063788.tif 000005
【図４】
2013063788.tif 000006
【図５】
2013063788.tif 000007